(57)【要約】      （修正有）【課題】一般火災以外の油火災や電気機器火災オールマイティな水道水による放水消火器を提供する。【解決手段】主ノズル３の内径４とフランジ部材５の内径６の間に主負圧室７が形成され、そして、該主負圧室７の下流側の位置で且つ、フランジ部材５と噴射ノズル９の幅狭い間隔で比較的大きい内径ｄ５の中間負圧室１１が形成された二流体混合器において、主負圧室７の接続ポート１２に切り替えバルブ１３を介して二酸化炭素ボンベ１５を接続し、そして、加圧状態の二酸化炭素をエジェクター効果を利用して、強制的に水と混合・溶解させた上で、該混合水を噴霧状にして放出し、該バルブの切り替えで主液のみを直状放出できる構成とする。【選択図】図３
2014161376.tif 000002
【特許請求の範囲】
【請求項１】
主負圧室の下流側に位置し、噴射ノズルと中間開口部の間に中間負圧室を有する二流体混合器において、主液のエジェクター効果により、主負圧室に高圧容器より気体を吸い上げ、混合・溶解せしめ、該混合液を大気に霧状態で放出し、バルブの切り替えで主液のみを直状放出できる構成とした二流体混合器。
【請求項２】
請求項１の二流体混合器において、主液を水道水とし加圧容器内の気体を二酸化炭素とした消火用放水を目的とした二流体混合器。
【発明の詳細な説明】
【技術分野】
【０００１】
本発明は、水道水を使用する消火用放水ガンに関するものである。
【背景技術】
【０００２】
現在、放水消火を目的に使用されている手動ガンは、水道水の水圧を利用したものが多く、ノズルから放出される水道水が霧状や直状で放出されるものが殆どである。（特許文献１参照）このような放水による消火は天婦羅等の油火災や電気機器火災には不向きとされ、一般的には、ABC粉末消火器や強化液消火器等が常設されている。
【０００３】
しかしながら、一般家庭にしろ、店舗でこのようなABC粉末消火器や強化液消火器を使用すると、部屋の中が泡や粉末だらけとなり汚れる。また、店舗等では、これらの汚れのため改修が必要となることが多い。そのため、このような粉末消火や強化液消火を使用することを躊躇するケースが多い。また、粉末消火の消火に慣れないため、その使用を躊躇するケースも多い。
そのため、初期消火が遅れ、大火災に発展するケースが多くなっている。
また、消火器は耐用年数が規定されているが、一般家庭では消火器の交換は個人に任されているため、ついつい忘れがちになり、実際の火災時には充分機能しないケースもある。
家庭用或いは店舗用には、最近、水道水による消火活動が見直されている。水道水による放水は、全ての消火に素早く対応ができ、再燃を防止しやすく、そして、後始末が容易になるからである。天婦羅油火災時には直状放水ではかえって火災が拡大するため、霧状で噴霧し、冷却効果で消火を行うようになってきた。しかし、一般火災以外の油火災や電気機器火災等の全てに、オールマイティな水道水による放水消火器は実在していないのが現状である。
【０００４】
一方、水を高速噴射した場合にエジェクター効果で液体や気体を吸い上げ、水と混合する二流体混合器（特許文献２参照）の考案をした。この混合器は大気、窒素或いは、二酸化炭素を水と混合させ高速噴射させることを可能とした。また、大気圧以上の加圧気体がこの混合器で混合されると、混合液が直状でなく霧状態で且つ、比較的高速で放出され、そして、加圧気体が消費されるか、或いは、気体が大気圧になると、水のみが直状の高速放出される。これらの現象は、二酸化炭素の加圧気体での試験結果でも同様に起こることが判明した。
【先行技術文献】
【特許文献】
【０００５】
【特許文献１】特許公開２００５−１３７７４２
【特許文献２】特願２０１３−０２１６２１
【発明の概要】
【発明が解決しようとする課題】
【０００６】
二酸化炭素は水に溶解しやすい。二酸化炭素は水側の水温が低いほど溶解しやすく、温度が上がると溶解しにくいという性質がある。仮に、２０℃では１トンの水には約１．７ｋｇの二酸化炭素が溶解する。これは大気圧体積で二酸化炭素８６５リットルに相当する。一酸化炭素を低温で水に吸収させて、噴霧状態で被消火体に放水すると、周囲の高温雰囲気に接して、水に溶解していた二酸化炭素がガス化して、窒息効果を発揮する上に、放水の冷却効果で完全消火が可能となる。
【課題を解決するための手段】
【０００７】
上記課題を達成するために、主ノズル３の内径４とフランジ部材５の内径６の間に主負圧室７が形成され、そして、該主負圧室７の下流側の位置で且つ、フランジ部材５と噴射ノズル９の幅狭い間隔で比較的大きい内径ｄ５の中間負圧室１１が形成された二流体混合器において、主負圧室７の接続ポート１２に切り替えバルブ１３を介して二酸化炭素ボンベ１５を接続し、そして、加圧状態の二酸化炭素をエジェクター効果を利用して、強制的に水と混合・溶解させた上で、該混合水を噴霧状にして放出し、該バルブの切り替えで主液のみを直状放出できる構成とした二流体混合器を提供する。
そのまま放水し続けると、二酸化炭素ボンベの内圧は序々に低下し、主負圧室７と同圧になる。その時点で、水道水のみが主ノズル３の内径４で絞られた状態のまま、前記大気開口部８から直状放出される。一方、前記切り替えバルブ１３が閉の状態でも、前記二流体混合器への二酸化炭素の供給が遮断され、エジェクター効果がなく、水道水のみが主ノズル３の内径４で絞られた状態で、前記大気開口部８から直状放出される構成となっている。
【発明の効果】
【０００８】
こうした二酸化炭素の噴霧放出による窒息消火、並びに、噴霧放出や直状放出による水冷却消火の併用で一般火災以外の油火災や電気機器火災にも充分な消火が可能となった。更に、二酸化炭素が消費された後でも継続して、直状放水による完全に消火が可能となり、再燃することがない消化活動が維持できる。また、消火後も粉末や消火薬剤が残らず清掃が容易となる。更に、水道水の放水は取り扱いも簡単で、消火活動が手軽に行えるという効果が期待できる。
【図面の簡単な説明】
【０００９】
【図１】図１は本発明の実施例の動作状態の１例を示したものである。
【図２】図２は本発明の実施例の動作状態の１例を示したものである。
【図３】図３は本発明の具体的実施例を示したものである。
【発明を実施するための形態】
【００１０】
家庭や店舗用に水道水の放水による消火器において、加圧状態の二酸化炭素或いは空気等の気体と水道水の強制混合による噴霧状放出で窒息消火および冷却効果、並びに、バルブ切り替えでによる直状放出で再燃がない完全消火が可能となった水道水放水型の消火器を提供するものである。
【実施例１】
【００１１】
図１は、二酸化炭素と水の混合液が霧状放出されている状態を示したものである。１は二流体混合器本体を示し、該本体１には水道水をオンーオフするためのガン１６および切り替えバルブ１３が流路で接続されている。また、該切り替えバルブ１３は加圧された二酸化炭素ボンベ１５と流路で接続されており、該二酸化炭素ボンベ１５と二流体混合器１との流路のオンーオフの切り替えができる構成となっている。また、図１は混合器１と二酸化炭素ボンベ１５の通路がオン状態で水道水と二酸化炭素が強制的に混合・溶解され霧状態で放出されている状態を示す。
【００１２】
図２は、ニ流体混合器１と二酸化炭素ボンベ１５の通路がオフ状態となっており、水道水のみが直状に放出されている状態を示す。
【００１３】
図３は本発明の具体的実施例を示したものである。
二流体混合器本体１を構成する絞り部材３はガン１６と流路で接続される。そして、該絞り部材３は、径がｄ１の絞り部４および端面４aを有している。フランジ部材５は径がｄ２の中間開口部６および端面５aを有している。そして、該端面５aと前記絞り部４に形成された端面４aがｓ１の間隔で周囲に主負圧室７を形成している。該主負圧室７は水道水が高速で絞り部４から中間開口部６に至る過程で、エジェクター効果で負圧となる。該負圧によりポート１２および切り替えバルブ１３を介して加圧状態の所定量の二酸化炭素がボンベ１５から主負圧室７に吸い上げられ主液と強制的に混合・溶解される。
尚、二酸化炭素ボンベ１５には、高圧の気体が封入されているが、前記切り替えバルブ１３がオンした際に、水道水の供給圧よりも必ず低い圧力で前記主負圧室に気体が供給されるようにオリフィス１４が配置されている。
また、フランジ部材５の下流側には端面５ｂを有し、噴射ノズル９は内径がｄ３の開口部１０と端面９aを有している。そして、該端面９aと前記フランジ部材５の端面５bの間隔に外径ｄ５の中間負圧室１１を形成している。該混合液はフランジ部材５に形成された中間開口部６から噴射ノズル９の噴射開口部１０へと高速で通過するがやはり、エジェクター効果により中間負圧室にも負圧が保持されるため、前記主負圧室７の負圧は確実に保持される。結果、加圧状態の二酸化炭素と水は充分に混合・溶解し、且つ、膨張する。そして、開口部８から大気へ比較的高速の霧状で放出される。  
一方、切り替えバルブ１３がオフ（閉）では、二酸化炭素ボンベ１５との流路が遮断されるため、水道水のみが直状に放出される。また、切り替えバルブ１３がオン（開）が維持されて、二酸化炭素ボンベ１５の圧力が低下し、主負圧室７と同じ負圧状態になった時点で、放出は霧状態から直状状態に移行する。
【産業上の利用可能性】
【００１４】
この霧状と直状放出の切り替え可能な二流体混合器は、加圧状態の二酸化炭素ボンベとの組み合わせ以外にも、加圧状態の空気、薬剤、農薬、消火剤、水性塗料の混合噴霧にも利用が可能である。
【符号の説明】
【００１５】
１  二流体混合器本体
３  絞り部材
４  絞り部
５  フランジ部材
６  中間開口部
７  主負圧室
８  開口部
９  噴出ノズル
１１中間負圧室
１３切り替えバルブ
１５二酸化炭素ボンベ
【図１】
2014161376.tif 000003
【図２】
2014161376.tif 000004
【図３】
2014161376.tif 000005